(57)【要約】【課題】  ゴミに直接接することがないために、手を汚さないで、簡単に開閉ができ、しかも、製造や取り付けコストが安価なゴミ収納体のカバー装置を提供することである。【解決手段】  少なくとも一対の側壁１ａ，１ａを備えたゴミ収納体１のカバー装置２において、上記側壁間の必要面積を覆う大きさを有するネット３と、このネットに取り付けられ、上記側壁間に掛け渡す複数のバー４と、上記両側壁に設けて、各バーの両端をガイドするレール５，５とを備え、上記バーは、上記レールに沿って移動し、この移動にともなって上記ネットが側壁間の開口を開閉する構成にし、かつ、上記ネットにおける開閉方向の一端３ａを所定の位置に固定するための固定手段を備えた。【選択図】  図１
2005194032.tif 000002
【特許請求の範囲】
【請求項１】
少なくとも一対の側壁を備えたゴミ収納体のカバー装置において、上記側壁間の必要面積を覆う大きさを有するネットと、このネットに取り付けられ、上記側壁間に掛け渡す複数のバーと、上記両側壁に設けて、各バーの両端をガイドするレールとを備え、上記バーは、上記レールに沿って移動し、この移動にともなって上記ネットが側壁間の開口を開閉する構成にし、かつ、上記ネットにおける開閉方向の一端を所定の位置に固定するための固定手段を備えたゴミ収納体のカバー装置。
【請求項２】
上記ネットにおいて固定手段と反対の他端側に、取っ手を備えたことを特徴とする請求項１に記載のゴミ収納体のカバー装置。
【発明の詳細な説明】
【技術分野】
【０００１】
この発明は、例えば、集合住宅等のゴミ収納体に収集されたゴミの散乱を防ぐゴミ収納体のカバー装置に関する。
【背景技術】
【０００２】
例えば、マンション等の集合住宅には、ゴミ収集車が回収するゴミを置いておくためのゴミ収納体が設置されている。そして、このゴミ収納体内に置いたゴミが、カラスや犬などによって散らかされないようにするために、ゴミの上に直接ネットをかぶせるようにしているところがある。このようなところでは、住民が、ゴミを捨てるときには、ネットをめくって、その下にゴミを置き、上からネットを被せていた。
なお、上記従来のゴミ収納体のカバー装置に関しては、特に先行技術文献調査をしていない。
【発明の開示】
【発明が解決しようとする課題】
【０００３】
上記のように、従来はゴミ収納体のゴミが散乱しないようにゴミの上に直接ネットをかぶせるようにしていたので、ゴミを入れた袋がネットの網目から露出することになる。このようにゴミ袋が網目から露出していると、カラスや犬などの動物が、網目からゴミ袋を破り、ゴミを食い散らかしてしまうという問題があった。
【０００４】
また、ゴミに直接ネットを被せているので、ゴミの汚れがネットに付着してしまうことがあった。そのため、住民は、ゴミを捨てるときに、汚れたネットを触らなければならず、非常に嫌な思いをすることがあった。
さらに、住民が、汚れたネットをさわりたくないために、ゴミを捨てる際に、きちんとネットをめくらなかったり、被せなかったりすることがあり、そのために捨てたゴミがネットからはみ出して、カラスなどに散らかされてしまうこともあった。
【０００５】
一方で、捨てたゴミに直接ふれる必要がないように、枠に金網をはめた天井や扉を備えたゴミ収納体もあった。しかし、このような天井や扉を用いる場合には、単にネットを用いる場合に比べて、扉の製造やその取り付けに手間もコストもかかるという問題があった。
この発明の目的は、ゴミに直接接することがないために、手を汚さないで、簡単に開閉ができ、しかも、製造や取り付けコストが安価なゴミ収納体のカバー装置を提供することである。
【課題を解決するための手段】
【０００６】
第１の発明は、少なくとも一対の側壁を備えたゴミ収納体のカバー装置において、上記側壁間の必要面積を覆う大きさを有するネットと、このネットに取り付けられ、上記側壁間に掛け渡す複数のバーと、上記両側壁に設けて、各バーの両端をガイドするレールとを備え、上記バーは、上記レールに沿って移動し、この移動にともなって上記ネットが側壁間の開口を開閉する構成にし、かつ、上記ネットにおける開閉方向の一端を所定の位置に固定するための固定手段を備えた点に特徴を有する。
【０００７】
第２の発明は、上記の発明を前提とし、上記ネットにおいて固定手段と反対の他端側に、取っ手を備えた点に特徴を有する。
【発明の効果】
【０００８】
第１、第２の発明によれば、ゴミ収納体内に捨てたゴミとカバー装置のネットとが接することがないので、ネットの網目からゴミが露出することがない。したがって、カラスや犬などがゴミに触れることを防ぐことができ、ゴミが散乱することがない。
また、ゴミとネットとが接することがないので、ゴミの汚れがカバー装置のネットに付着するの防ぐことができる。従って、ゴミを捨てる際に、住民は手を汚さないでカバー装置を開閉することができる。
さらに、上記バーを移動させるだけでネットが自然に折り畳まれてカバー装置を開けることができるので、人がネットを畳んだりたくし上げたりする必要がない。従って、開閉作業が簡単である。
【０００９】
特に、第２の発明によれば、取っ手を持って、ネットをめくったり、下ろしたりすることができるので、ゴミ出しの際に、先に出されたゴミに手が触れることがないだけでなく、作業がし易い。
【発明を実施するための最良の形態】
【００１０】
図１〜図９に、この発明の第１実施形態を示す。
図１に示すように、平行にした一対の側壁１ａ，１ａと、これら両側壁１ａ，１ａを連結する後壁１ｂとからなるゴミ収納体１に、この発明のカバー装置２が取り付けられている。
上記ゴミ収納体１には、図１のように特定の場所に側壁１ａ，１ａと後壁１ｂとを直接固定したもののほか、移動可能な囲いを単に設置しただけのものも含まれる。
【００１１】
また、上記ゴミ収納体１のカバー装置２は、上記両側壁１ａ，１ａに取り付けたレール５，５とそれに取り付けたカバー本体１０とからなる。
カバー本体１０は、図２に示すように、ネット３と、このネット３の一端３ａから他端３ｂに向かってほぼ等間隔をおいて取り付けられた複数のバー４とからなる。
【００１２】
なお、上記複数のバー４のうち、ネット３の一端３ａと他端３ｂに取り付けたバーを特に、バー４ａ、バー４ｂということにする。ただし、その取り付け位置が問題とならない場合には、いずれのバーも、バー４ということにする。
上記バー４は、上記両側壁１ａ，１ａ間に掛け渡す長さを有し、これらのバー４を、図２に示すように、縄等で巻きつけるようにして上記ネット３に取り付けている。そして、各バー４の両端には、図２、図３に示す車輪６，６を回転自在に設けている。
【００１３】
また、上記ネット３は、上記バー４と同等の幅と、レール５，５に沿って、上記ゴミ収納体１の開口を覆うことができる長さとを備えている。このネット３の大きさが、この発明の側壁１ａ，１ａ間の必要面積に対応し、カラスなどに散らかされないようにゴミを覆うことができる大きさである。
【００１４】
上記レール５，５は、断面を略Ｃ字状にしたレールであり、その内側にバー４の両端に取り付けた車輪６，６を収納し、バー４がレール５，５に沿って移動するようにガイドするためのものである。バー４の移動時には、上記車輪６，６が、レール５，５内を転がることによって、バー４がスムーズに移動できるようにしている。
なお、この第１実施形態では、図５に示すように、レール５，５は、前部材５ａ，５ａと上部材５ｂ，５ｂと、これら前部材５ａ，５ａと上部材５ｂ，５ｂとを接続するコーナー部材５ｃ，５ｃとによって構成している。
【００１５】
上記前部材５ａ，５ａは、ゴミ収納体１の両側壁１ａ，１ａの前面開口部Ａの内周に固定するための部材であって、その長さを上記前面開口部Ａとほぼ同じにしている。
また、上部材５ｂ，５ｂは、側壁１ａ，１ａの上面開口部Ｂの内周に固定する部材であって、その長さを上記上面開口部Ｂとほぼ同じにしている。
【００１６】
さらに、上記コーナー部材５ｃ，５ｃは、側壁１ａ，１ａの開口コーナー部Ｃ内周に固定するための部材で、その形状を円弧にし、このコーナー部材５ｃ，５ｃによって、上記前部材５ａ，５ａと上部材５ｂ，５ｂとが連続する。
そして、上記レール５，５の全長は、上記ネット３の一端３ａから他端３ｂ間の全長と同じにしている。ただし、上記レール５，５は、それぞれ、連続する一部材で構成されていてもよい。
【００１７】
また、上記ネット３の他端３ｂに取り付けたバー４ｂには、取っ手７を設けている。上記ネット３の他端３ｂが、後で説明するこの発明のネットの固定手段と反対側の他端に相当する。
【００１８】
上記のような構成にしたカバー装置２は、以下のようにしてゴミ収納体１に取り付けられる。
まず、図４に示すように、レール５，５の前部材５ａ，５ａをゴミ収納体１の側壁１ａ，１ａの前面開口部Ａ内周に、上部材５ｂ，５ｂを側壁１ａ，１ａの上面開口部Ｂ内周にモルタルボンド等の接着剤で固定する。
【００１９】
上記のようにして、レール５，５の前部材５ａ，５ａおよび上部材５ｂ，５ｂを固定したら、両部材の間のコーナー部Ｃから図２に示すカバー本体１０の車輪６，６を上部材５ｂ，５ｂに組み込む。具体的には、上記上部材５ｂ，５ｂのコーナー部Ｃ側の開口から、ネット３の一端３ａ側のバー４ａの車輪６，６を挿入し、順にバー４ｂの車輪６，６まで、全ての車輪６，６を挿入する。
【００２０】
全ての車輪６，６を上部材５ｂ，５ｂに組み込んだら、コーナー部５ｃ，５ｃを側壁１ａ，１ａの開口コーナー部Ｃ内周に接着剤で固定する。これによって、レール５，５が完成して両側壁１ａ，１ａに取り付けられるとともに、このレール５，５間に掛け渡されるカバー本体１０が取り付けられる。
【００２１】
上記のように、レール５，５が固定され、その間にカバー本体１０が取り付けられたら、ネット３の一端３ａに取り付けたバー４ａを、接着剤でゴミ収納体１の後壁１ｂ上部に固定する。このように、バー４ａを後壁１ｂ上部内周に接着することによって、ネット３の一端３ａがバー４ａを介して、この発明の所定の位置である後壁１ｂ上部に固定されることになる。そして、上記モルタルボンド等の接着剤が、この発明の固定手段に当たる。
【００２２】
なお、上記ネット３は、バー４ａを介さないで、その一端３ａを、直接、接着剤で、ゴミ収納体１の後壁１ｂの上部内周に固定するようにしてもかまわない。また、上記後壁１ｂ上部内周に鈎状のフックを取り付けて、そのフックにネット３の一端３ａ側を引っ掛けるようにしてもかまわない。いずれにしても、ネット３の一端３ａが上記後壁１ｂ上部内周に固定されればよい。
【００２３】
あるいは、上記バー４ａの両端を、側壁１ａ，１ａの後壁１ｂ側に固定することによって、ネット３の一端３ａが、所定の位置に固定されるようにしてもかまわない。いずれにしても、上記一端３ａと後壁１ｂとの間に、カラスなどが入り込むことができる隙間を開けないように固定手段によって、一端３ａを固定すればよい。
【００２４】
このとき、バー４を取り付けたネット３とレール５，５との全長を同じにしているので、取っ手７を持ってネット３の他端３ｂ側のバー４ｂを引き下げれば、図６に示すように、上記バー４ｂが、レール５，５の前部材５ａ，５ａの下端に位置する。すなわち、上記バー４ａは、ゴミ収納体１の側壁１ａ，１ａの前面開口部Ａの下端に位置し、開口を閉鎖することになる。
【００２５】
上記のようにしてゴミ収納体１にカバー装置２を取り付けると、ゴミ収納体１の開口部分は、図６に示すように、カバー装置２によって覆われる全閉状態となる。そして、このカバー装置２とゴミ収納体１内には空間Ｈが形成される。
なお、上記カバー装置２の取り付け手順は、上述した手順以外であってもかまわないこと当然である。例えば、レール５，５を備えたカバー装置２を作ってから、ゴミ収納体１に取り付けてもよい。要は取り付け作業者が取り付けやすい手順で取り付ければよい。
【００２６】
上記のようにして取り付けられたゴミ収納体のカバー装置２を開けて、ゴミ収納体１内の空間Ｈにゴミを捨てる方法を説明する。
まず、上記バー４ａの取っ手７がゴミ収納体１の側壁１ａ，１ａの前面開口部Ａの下端に位置する全閉状態（図６参照）から、図７に示すように、上記バー４ｂに設けた取っ手７をゴミ収納体１の上方向である矢印Ｒ方向に引き上げる。上記取っ手７を矢印Ｒ方向に引き上げると、取っ手７を設けたバー４ｂの車輪６，６がレール５，５内で回転し、上記バー４ｂは、レール５，５に沿って上記矢印Ｒ方向に移動する。
【００２７】
そして、上記レール５，５にガイドされたバー４ｂを、取っ手７を持って引き上げると、ネット３がたくし上げられて収納体１が開口するので、住民は、図８に示すように、その開口から空間Ｈ内へゴミＧを入れることができる。特に、上記バー４ｂをレール５，５の上部材５ｂ，５ｂの位置まで引き上げると、手を離してもバー４ｂが落ちてこないので、両手を使ってゴミＧを上記空間Ｈ内へ入れることもできる。
【００２８】
また、ゴミＧを捨て終わったあと、上記取っ手７を持って、バー４ｂをレール５，５に沿ってゴミ収納体１の側壁１ａ，１ａの前面開口部Ａの下端に移動させれば、ゴミ収納体１の開口をカバー装置２によって図９に示す全閉状態に戻すことができる。
以上のように、上記カバー装置２では、側壁に設けたレール５，５とその間に掛け渡したバー４とによって、ネット３を支持しているので、ゴミ収納体１内のゴミの有無に係わらず、空間Ｈを確保することができる。その為、すでにゴミＧが入っている状態で、カバー装置２を開け閉めする場合にも、空間Ｈ内に捨てられたゴミＧにネット３が直接ふれることがない。
【００２９】
このように、ゴミ収納体１内に捨てたゴミＧとカバー装置２のネット３とが接することがないので、上記カバー装置２を構成するネット３の網目からゴミＧが露出することがなく、カラスや犬などがネット３の網目からゴミＧに触れることを防ぐこともできる。
また、カバー装置２とゴミＧとが接することがないので、ゴミＧの汚れがカバー装置２に付着するの防ぐことができる。したがって、ゴミＧを捨てる際に、住民は手を汚すことなくカバー装置２を開閉することができる。
【００３０】
さらに、上記バー４ｂに取っ手７を設けた場合には、カバー装置２の開閉作業がより簡単にできる。
そのため、住民は、きちんと収納体１の中にゴミを入れ、カバー装置２を閉じるようになるので、露出したゴミがカラスなどによって散らかされることもない。
【００３１】
また、上記カバー装置２は、モルタルボンド等の接着剤でゴミ収納体１に取り付けることができるので、金網で作られた扉などと比べても、その取り付け作業が簡単で、施工技術がないマンションの管理人等でも、簡単に取り付けることができる。また、金網に枠を付けた扉は、素人が作成することはできないが、バー４をネット３に取り付けたり、レール５，５を接着したりして、上記カバー装置２を形成することは誰にでもできる。つまり、取り付けコストや製造コストを低く抑えることができる。
【００３２】
上記第１実施形態では、レール５，５をゴミ収納体１の側壁１ａ，１ａの開口部分内周に取り付けているが、上記レール５，５の取り付け位置や、レール形状などは、上記のものに限らない。
例えば、図１０に示す第２実施形態のように、レール５，５を側壁１ａ，１ａの上端に取り付けるようにしてもよいし、側壁１ａ，１ａの外周に取り付けてもかまわない。
さらに、レールの断面も、上記第１実施形態の略Ｃ字状に限らない。
【００３３】
図１１に示す第３実施形態のようにＵ字状のレール８や、図１２の第４実施形態のように断面Ｌ字状のレール９を用いてもよい。
なお、図１１に示すレール８は、側壁１ａ，１ａの内周だけでなく、外周に設けることもできる。
また、図１２のように、バー４の両端をそのままレール９に載せることもできる。
いずれにしても、レール５，８，９は、上記側壁１ａ，１ａの開口外周に沿って取り付けるようにすればよい。
【００３４】
また、図３、図１０、図１１に示す第１〜第３実施形態において、バー４の両端には車輪６，６を設けているが、上記レール５，８に沿って移動する被ガイド部は、上記車輪６，６に限らず、バー４の両端を直接、上記レール５，８に沿わせるようにしてもよいし、車輪以外の滑りの良い部材を取り付けてもよい。
ただし、車輪６，６を使用すれば、バー４の移動をスムーズにすることができる。
【図面の簡単な説明】
【００３５】
【図１】本発明の第１実施形態を示す斜視図である。
【図２】カバー本体の正面図である。
【図３】レールに車輪を組み付けた状態を示す断面図である。
【図４】側壁に、レールの前部材と上部材とを固定した状態を示す側面図である。
【図５】側壁に、レールを固定した状態を示す側面図である。
【図６】ゴミ収納体にカバー装置を取り付けた全閉状態を示す側面図である。
【図７】取っ手を引き上げた状態を示す側面図である。
【図８】カバー装置の全開状態を示す側面図である。
【図９】カバー装置の全閉状態を示す側面図である。
【図１０】第２実施形態のレールを示した部分断面図である。
【図１１】第３実施形態のレールを示した部分断面図である。
【図１２】第４実施形態のレールを示した部分断面図である。
【符号の説明】
【００３６】
１          ゴミ収納体
１ａ        側壁
１ｂ        後壁
２          カバー装置
３          ネット
３ａ        ネットの一端
３ｂ        ネットの他端
４          バー
４ａ        （ネットの一端取り付ける）バー
４ｂ        （ネットの他端に取り付ける）バー
５，８，９  レール
７          取っ手
【図１】
2005194032.tif 000003
【図２】
2005194032.tif 000004
【図３】
2005194032.tif 000005
【図４】
2005194032.tif 000006
【図５】
2005194032.tif 000007
【図６】
2005194032.tif 000008
【図７】
2005194032.tif 000009
【図８】
2005194032.tif 000010
【図９】
2005194032.tif 000011
【図１０】
2005194032.tif 000012
【図１１】
2005194032.tif 000013
【図１２】
2005194032.tif 000014